(57)【要約】本発明は、ドラムによって形成される洗濯空間に同時に相反する両方向の水流を形成して洗濯物の絡みを防止し、また、洗濯効率を高めるようにしたドラム洗濯機を提供する。本発明は、キャビネットの内側に設けられるタブと、前記タブの内側に設けられモーター部の駆動力を受けて回転自在になったドラムを備えたドラム洗濯機において、前記タブの内側には前記モーター部の駆動力を受けて回転可能な一対のドラムがそれぞれ設けられ、前記それぞれのドラムは互いに反対方向に回転可能に設けられることにより形成される洗濯空間に同時に相反する両方向の水流を形成するようにしたものである。【選択図】図３
2004513721.tif 000002
【特許請求の範囲】
【請求項１】
キャビネットの内側に設けられるタブと、
前記タブの内側に設けられ互いに反対方向に回転可能するようになった一対のドラムとを含めてなることを特徴とするドラム洗濯機。
【請求項２】
前記一対のドラムはタブの内側に回転自在に設けられる外部ドラムと、
前記外部ドラムより小さい直径及び軸方向の長さを有して前記外部ドラムの内側に回転自在に設けられる内部ドラムからなることを特徴とする請求項１に記載のドラム洗濯機。
【請求項３】
前記内部ドラムの前端部と対応する位置の前記外部ドラムの円周上には前記内部ドラムと外部ドラムと間のシリングを維持できるように半径方向の内側に突出部が形成されたことを特徴とする請求項２に記載のドラム洗濯機。
【請求項４】
前記突出部と内部ドラムとの間にはその隙間に洗濯物が挟まらないように別途のシリング手段が更に備えられたことを特徴とする請求項３に記載のドラム洗濯機。
【請求項５】
前記内部ドラムはその後端部が内部ドラム回転軸によってモーター部の回転子と軸連結され、
前記回転子の内側にはタブの後壁後端部に固定された固定子が位置され、
前記外部ドラムはその後端部が外部ドラムの回転軸と軸連結され、外部ドラム回転軸には前記内部ドラム回転軸の回転力を前記外部ドラム回転軸に伝えるための回転力伝達装置が備えられることを特徴とする請求項２に記載のドラム洗濯機。
【請求項６】
前記外部ドラム回転軸の外周面はタブの後壁に形成されるギアボックスハウジングの前端部に設けられた前方ベアリングによって回転自在に支持され、
前記内部ドラム回転軸の外周面は前記ベアリングハウジングの後端部に設けられた後方ベアリングによって回転自在に支持されることを特徴とする請求項５に記載のドラム洗濯機。
【請求項７】
前記回転力伝達装置は、
前記内／外部ドラム回転軸が内側に貫通又は挿入できるように前端部と後端部とが開口された形状として前記ギアボックスハウジングの内側に固定されるギアボックスと、
前記内部ドラム回転軸の回転と連通して回転するように同軸形成されたサンギアと、
前記サンギアの回転力を受けて回転する多数の流星ギアと、
前記外部ドラム回転軸の後端部から延長され、その内周面上には前記流星ギアと噛み合うようにギア部が形成された軸延長部と、
ベース前方には前記流星ギアの回転中心を成す回転軸が形成され後方には前記内部ドラム回転軸とギアボックスの後端開口部との間に位置する延長部を有するキャリアと、
前記内部ドラム回転軸の外周面と外部ドラム回転軸の内周面上に介在して前記内／外部ドラム回転軸の連動回転を片側方向だけに許容する第１回転軸断続手段と、
前記ギアボックスの後端開口部の内周面と前記キャリアの延長部の外周面上に介在してキャリアの回転を片側方向だけに許容する第２回転軸断続手段とからなることを特徴とするドラム洗濯機。
【請求項８】
前記サンンギアは前記内部ドラム回転軸と一体化して形成されることを特徴とする請求項７に記載のドラム洗濯機。
【請求項９】
前記流星ギアは半径及び歯車の数がそれぞれ異なる二つの歯車が一体化して同軸結合されたことを特徴とする請求項７に記載のドラム洗濯機。
【請求項１０】
前記キャリアは内部ドラム回転が回転することによって前記内部ドラム回転軸の中心軸を基準として回転方向と同一に回転することを特徴とする請求項７に記載のドラム洗濯機。
【請求項１１】
前記第１、第２回転軸断続手段は片方向ベアリングであることを特徴とする請求項７に記載のドラム洗濯機。
【請求項１２】
前記内部ドラム回転軸の外周面とキャリアの延長部の内周面の間にはオイルレス（ｏｉｌｌｅｓｓ）ベアリングが備えられることを特徴とする請求項７に記載のドラム洗濯機。
【請求項１３】
前記オイルレスベアリングの後方側の内部ドラム回転軸の外周面とキャリアの延長部の内周面との間にはシリング手段が追加で備えられることを特徴とする請求項１２に記載のドラム洗濯機。
【請求項１４】
前記第１回転軸断続手段は洗濯時には内部ドラム回転軸と外部ドラム回転軸が互いに反対方向に回転することを許容し、脱水時には前記内部ドラム回転軸と同一の方向に回転できるように外部ドラム回転軸を拘束することを特徴とする請求項７に記載のドラム洗濯機。
【請求項１５】
前記第２回転軸断続手段は洗濯時にはギアボックスとキャリアが互いに同一の方向に回転できるように拘束し、脱水時には互いに反対方向への回転を許容することを特徴とする請求項７に記載のドラム洗濯機。
【請求項１６】
前記軸延長部の直径は前記外部ドラム回転軸の直径よりは大きく前記ギアボックスの直径よりは小さいことを特徴とする請求項７に記載のドラム洗濯機。
【請求項１７】
前記内部ドラムはタブの片側に別途に設けられた駆動モーターの駆動力を伝えられて回転し、
前記外部ドラムはその後端部が外部ドラム回転軸と軸連結し、外部ドラム回転軸には前記内部ドラム回転軸の回転力を前記外部ドラム軸へ伝えるための回転力の伝達装置が備えられることを特徴とする請求項２に記載のドラム洗濯機。
【請求項１８】
前記内部ドラムへの動力伝達は、
前記タブの下部側に設けられた駆動モーターと、
前記駆動モーターに軸連結されたモータープーリーと、
前記内部ドラム回転軸上に設けられたドラムプーリーと、
前記モータープーリーの回転力をドラムプーリーに伝えるベルト手段によって成されることを特徴とする請求項１７に記載のドラム洗濯機。
【請求項１９】
前記タブの後壁中央にはベアリングハウジングが一体化して形成され、前記ベアリングハウジングの前方及び後方部には前記外部ドラム回転軸の外周面を支持できるように前方ベアリング及び後方ベアリングがそれぞれ設けられることを特徴とする請求項１７に記載のドラム洗濯機。
【請求項２０】
前記タブ後壁の後方側には前記回転力の伝達装置を収容できるようにギアボックスが備えられることを特徴とする請求項１７に記載のドラム洗濯機。
【請求項２１】
前記ギアボックスの前方部には締結手段によって締結可能にその外周面に沿ってプランジ部が形成されて前記ギアボックスが前記タブの後壁に結合されることを特徴とする請求項２０に記載のドラム洗濯機。
【請求項２２】
前記プランジ部には円周方向に沿って締結手段を締結するように多数の締結孔が形成され、タブの後壁には前記締結孔と対応される位置にそれぞれ固定ホールが形成されることを特徴とする請求項２１に記載のドラム洗濯機。
【請求項２３】
前記各ドラムの内周面上には半径方向内側に向かうように突出して設けられた多数のリフターが軸方向に沿って長く形成されることを特徴とする請求項１又は２に記載のドラム洗濯機。
【請求項２４】
前記リフターのうち、内部ドラムの内周面上に形成されたリフターは軸方向に沿って前方側にいくほどその断面の大きさが小さくなり、
外部ドラムの内周面上に形成されたリフターは軸方向に沿って後方側に行くほどその断面の大きさが小さく形成されることを特徴とする請求項２３に記載のドラム洗濯機。
【請求項２５】
前記リフターは断面の形状が三角形であることを特徴とする請求項２３に記載のドラム洗濯機。
【請求項２６】
前記リフターは断面の形状が“Ｍ”字状からなり半径方向の内側の端部上に溝部を形成することを特徴とする請求項２３に記載のドラム洗濯機。
【請求項２７】
前記リフターのうち、内部ドラムの内周面上に形成されるリフターは洗濯の時に内部ドラムが回転することによってその内側に収容される洗濯物及び水流を軸方向に沿って前方側（ドア側）に移動させるように螺旋状に形成され、外部ドラムの内周面上に形成されるリフターは洗濯の時に、外部ドラムが回転することによってその内側に収容される洗濯物及び水流を軸方向に沿って後方側に移動させるように螺旋状で形成されることを特徴とする請求項２３に記載のドラム洗濯機。
【請求項２８】
タブの内側に回転自在に設けられ、その後端部には外部ドラム回転軸が軸連結され、前記外部ドラム回転軸の後端部にはタブの後壁後端部に固定された固定子と軸連結される外部ドラムと、
前記外部ドラムの内側に回転自在に設けられ、その後端部には内部ドラム回転軸が軸連結され、前記内部ドラム回転軸の後端部はモーター部の回転子と軸連結される内部ドラムと、
前記タブ後壁の後方中央部に形成された前方管通孔の後方側に延長され、前記後壁と一体化して形成されて中空の空間部をなし、その後端部には後方管通孔が形成されたギアボックスハウジングと、
前記前方管通孔及び後方貫通孔にそれぞれ設けられて前記外部ドラム回転軸の外周面と内部ドラム回転軸の外周面に沿ってそれぞれ回転自在に支持する前・後方ベアリングと、
前記内／外部ドラム回転軸が内側に貫通又は挿入できるように前端部と後端部とが開口した形状として前記ギアボックスハウジングの内側に固定されるギアボックスと、
前記内部ドラム回転軸の回転と連動して回転するように同軸形成されたサンギアと、前記サンギアの回転力を受けて回転する多数の流星ギアと、前記外部ドラム回転軸の後端部から延長され、その内周面上には前記流星ギアと噛み合わさるようにギア部が形成された軸延長部と、べ−スの前方には前記流星ギアと回転中心を成している回転軸が形成され、後方には前記内部ドラム回転軸とギアボックスの後端開口部との間に位置する延長部を有するキャリアと、前記内部ドラム回転軸の外周面と外部ドラム回転軸の内周面上に介在して前記内／外部ドラム回転軸の連動回転を片側方向だけに許容する第１回転軸断続手段と、
前記ギアボックスの後端開口部の内周面と前記キャリアの延長部の外周面上に介在してギアボックスとキャリアとの連動回転を片側方向だけに許容する第２回転軸断続手段からなる回転力伝達装置とを含めてなることを特徴とするドラム洗濯機。
【請求項２９】
タブの内側に回転自在に設けられ、その後端部には外部ドラム回転軸が軸連結され、前記外部ドラム回転軸の後端部はタブの後壁中央部の外側に貫通する外部ドラムと、
前記タブの下部側に設けられ、駆動軸にはモータープーリーが連結された駆動モーターと、
前記外部ドラムの内側に回転自在に設けられ、その後端部には内部ドラム回転軸が軸連結され、前記内部ドラム回転軸の後端部はドラムプーリーと軸連結されてベルト手段によって前記駆動モーターの回転力を伝えられる内部ドラムと、
前記内／外部ドラム回転軸が内側に貫通または挿入されるように前端部と、後端部が開口された形状として前記タブの後壁の後方側に締結手段によって締結され、その内側には中空の空間部を有するギアボックスと、
前記タブの後壁中央部に形成されたベアリングハウジングの前方部と後方部にそれぞれ設けられて前記外部ドラム回転軸の外周面を回転自在に支持する前後方ベアリングと、
前記内部ドラム回転軸の回転と連動して回転するように同軸形成されたサンギアと、
前記サンギアの回転力を伝えられて回転する多数の流星ギアと、
前記外部ドラム回転軸の後端部から延長され、その内周面上には前記流星ギアと噛み合うようにギア部が形成された軸延長部と、べースの前方には前記流星ギアの回転中心を成す回転軸が形成され、後方には前記内部ドラム回転軸とギアボックスの後端開口部との間に位置する延長部を有するキャリアと、前記内部ドラム回転軸の外周面と外部ドラム回転軸の内周面上に介在して前記内／外部ドラム回転軸の連動回転を片側方向だけに許容する第１回転軸断続手段と、前記ギアボックスの後端開口部の内周面と前記キャリアの延長部の外周面上に介在してキャリアの回転を片側方向だけに許容する第２回転軸断続手段からなる回転力伝達装置とを含めてなることを特徴とするドラム洗濯機。
【発明の詳細な説明】
【０００１】
技術分野
本発明は、ドラム洗濯機に関するもので、より詳しくはタブの内側に設けられた一対のドラムが互いに反対方向に回転自在に設けられて洗濯を行えるようになったドラム洗濯機に関する。
【０００２】
背景技術
一般にドラム洗濯機は、洗剤と洗濯水及び洗濯物がドラム内に投入された状態でモーター部の駆動力を受けて回転するドラムと洗濯物との摩擦力を用いて洗濯を行うものであって、洗濯物の損傷が殆どなく、洗濯物が互いに絡み合うことなく、叩いたり揉み洗いしたりするような洗濯効果が得られる。
【０００３】
図１は関連技術によるドラム洗濯機を概略的に示した縦断面図であり、図２は図１の“Ａ”部拡大断面図である。
【０００４】
前記図１及び図２を参照して関連技術によるドラム洗濯機を説明すると、次の通りである。
【０００５】
以下、後述する部分は理解のために、図面上の左側をドラム洗濯機の前方とし、図面上の右側をドラム洗濯機の後方として説明する。
【０００６】
前記図１及び図２に示すように、キャビネット１の内側に円筒型のタブ２が設けられ、前記タブ２の内側には円筒型のドラム３が回転自在に設けられる。
【０００７】
また、前記タブ２の後壁２ａの後方には前記駆動軸３ｂを回転自在に支持するための前・後方ベアリング１７，１８を設けられるようにモーターハウジング１０ａが締結手段１９によって締結される。
【０００８】
尚、前記キャビネット１の上部面の内側とタブ２の外周面の上部側との間にはタブ２を支持するハンギングスプリング（ｈａｎｇｉｎｇ　ｓｐｒｉｎｇ）９が設けられ、前記キャビネット１の下部面の内側とタブ２の外周面の下部側との間には脱水時に発生するタブ２の振動を減衰させるためのダンパー８が設けられる。
【０００９】
また、ドラム３の後方に固定設置されたスパイダー３ａに駆動軸３ｂの前端部が軸連結され、前記駆動軸３ｂはタブ２の中央部を貫通してタブ２の後壁２ａの外側からモーター部１０の回転子１１に連結される。また、モーター部１０の固定子１２に電圧が印加されることによって前記回転子１１が回転可能となり、これに連動して前記駆動軸３ｂが回転する。
【００１０】
以下、かかる構成からなる関連技術のドラム洗濯機の作動について説明する。
【００１１】
ドラム３内に洗濯物と、洗剤、また、洗濯水が満たされた後、モーター部１０の固定子１２に電源が印加されると、回転子１１が回転する。前記回転子１１の回転によって駆動軸３ｂが回転することになり、前記駆動軸３ｂが回転することによってドラム３が回転することになる。そして前記ドラム３の内側に収容された洗濯物は洗濯水及びドラム３との摩擦力によって洗濯が行われる。
【００１２】
しかしながら、前記関連技術のドラム洗濯機は次のような問題があった。先ず、関連技術のドラム洗濯機の洗濯方式は洗濯物がドラム２の内面に形成されたリフター（図示せず）によって回転するドラム２の内側面に沿って回りながら上側に一定の高さまで上昇した後に落ちる循環過程を繰り返すことになり、この洗濯物とドラム２及びリフターとの間で発生する摩擦力によって洗濯が行われる。
【００１３】
しかしながら、該場合前記ドラム２は所定時間の間、片側方向だけに回転することでその内側に収容された洗濯物また片側方向だけに継続回りながら回転した後ドラム２の下部に落下する洗濯過程を繰り返すことになる。
【００１４】
又、洗濯物全体に亘って均一な洗濯が行われず、ある部分だけに集中的な洗濯が行われるので洗濯物全体について均一な洗濯が成されず洗濯の所要時間が長くなるという問題があった。
【００１５】
また、洗濯の時に洗濯物が所定時間の間、片側方向だけに継続回りながら回転することによってドラム２の内側に収容された多くの洗濯物同士が絡みあう場合、絡んだままの状態で継続して片側方向だけに回転することで洗濯物に損傷が発生するおそれが高くなるという問題があった。
【００１６】
発明の開示
本発明は関連技術の問題を解決するために案出したもので、本発明の目的はドラムによって形成される洗濯空間に同時に相反する両方向の水流を形成して洗濯物の絡みを防止し、また、洗濯効率を高めるようにしたドラム洗濯機を提供することを目的とする。
【００１７】
前記目的を達成するために本発明は、キャビネットの内側に設けられるタブと、
前記タブの内側に設けられてモーター部の駆動力を受けて回転自在になったドラムを備えたドラム洗濯機において、前記タブの内側には前記モーター部の駆動力を受けて回転自在な一対のドラムがそれぞれ設けられ、前記それぞれのドラムは互いに反対方向に回転自在に設けられることを特徴とするドラム洗濯機を提供する。
【００１８】
また、前記一対のドラムはタブの内側に回転自在に設けられる外部ドラムと、
前記外部ドラムより小さい直径及び軸方向の長さを有して前記外部ドラムの内側に回転自在に設けられる内部ドラムからなることが望ましい。
【００１９】
前記内部ドラムの前端部と対応される位置の前記外部ドラムの円周上には前記内部ドラムと外部ドラムと間のシリングを維持できるように半径方向の内側に突出部が形成されたことが望ましい。
【００２０】
前記突出部と内部ドラムとの間にはその隙間に洗濯物が挟まれないように別途のシリング手段が更に備えられることが望ましく、前記内部ドラムはその後端部が内部ドラム回転軸によってモーター部の回転子と軸連結され、前記回転子の内側にはタブの後壁後端部に固定された固定子が位置し、前記外部ドラムはその後端部が外部ドラムの回転軸と軸連結され、外部ドラム回転軸には前記内部ドラム回転軸の回転力を前記外部ドラム回転軸に伝えるための回転力伝達装置が備えられることが望ましい。
【００２１】
前記外部ドラム回転軸の外周面はタブの後壁に形成されるギアボックスハウジングの前端部に設けられた前方ベアリングによって回転自在に支持され、前記内部ドラム回転軸の外周面は前記ベアリングハウジングの後端部に設けられた後方ベアリングによって回転自在に支持されることが望ましい。
【００２２】
また、前記回転力伝達装置は、前記内／外部ドラム回転軸が内側に貫通又は挿入できるように前端部と後端部とが開口された形状として前記ギアボックスハウジングの内側に固定されるギアボックスと、前記内部ドラム回転軸の回転と連通して回転するように同軸形成されたサンギアと、前記サンギアの回転力を受けて回転する多数の流星ギアと、前記外部ドラム回転軸の後端部から延長され、その内周面上には前記流星ギアと噛み合うようにギア部が形成された軸延長部と、ベース前方には前記流星ギアの回転中心を成す回転軸が形成され後方には前記内部ドラム回転軸とギアボックスの後端開口部との間に位置される延長部を有するキャリアと、前記内部ドラム回転軸の外周面と外部ドラム回転軸の内周面上に介在して前記内／外部ドラム回転軸の連動回転を片側方向だけに許容する第１回転軸断続手段と、前記ギアボックスの後端開口部の内周面と前記キャリアの延長部の外周面上に介在してキャリアの回転を片側方向だけに許容する第２回転軸断続手段とからなることを特徴とする。
【００２３】
ここで、前記サンギアは前記内部ドラム回転軸と一体化して形成されることが望ましく、前記流星ギアは半径及び歯車の数がそれぞれ異なる二つの歯車が一体化して同軸結合されることが望ましい。
【００２４】
また、前記キャリアは内部ドラム回転が回転することによって前記内部ドラム回転軸の中心軸を基準として回転方向と同一に回転することが望ましい。
【００２５】
また、前記第１、第２回転軸断続手段は片方向ベアリングであることが望ましく、前記内部ドラム回転軸の外周面とキャリアの延長部の内周面の間にはオイルレス（ｏｉｌｌｅｓｓ）ベアリングが備えられることが望ましく、前記オイルレスベアリングの後方側の内部ドラム回転軸の外周面とキャリアの延長部の内周面との間にはシリング手段が追加して備えられることが更に望ましい。
【００２６】
尚、前記第１回転軸断続手段は洗濯時には内部ドラム回転軸と外部ドラム回転軸が互いに反対方向に回転することを許容し、脱水時には前記内部ドラム回転軸と同一の方向に回転できるように外部ドラム回転軸を拘束することが望ましく、前記第２回転軸断続手段は洗濯時にはギアボックスとキャリアとが互いに同一の方向に回転できるように拘束し、脱水時には互いに反対方向への回転を許容することが望ましく、前記軸延長部の直径は前記外部ドラム回転軸の直径よりは大きく前記ギアボックスの直径よりは小さいことが望ましい。
【００２７】
前記内部ドラムはタブの片側に別途に設けられた駆動モーターの駆動力を伝えられて回転し、前記外部ドラムはその後端部が外部ドラム回転軸と軸連結し、外部ドラム回転軸には前記内部ドラム回転軸の回転力を前記外部ドラム軸へ伝えるための回転力の伝達装置が備えられることが望ましい。
【００２８】
ここで、前記内部ドラムへの動力伝達は、前記タブの下部側に設けられた駆動モーターと、前記駆動モーターに軸連結されたモータープーリーと、前記内部ドラム回転軸上に設けられたドラムプーリーと、前記モータープーリーの回転力をドラムプーリーに伝えるベルト手段によって成されることが望ましい。
【００２９】
前記タブの後壁中央にはベアリングハウジングが一体化して形成され、前記ベアリングハウジングの前方及び後方部には前記外部ドラム回転軸の外周面を支持できるように前方ベアリング及び後方ベアリングがそれぞれ設けられることが望ましい。
【００３０】
前記タブ後壁の後方側には前記回転力の伝達装置を収容できるようにギアボックスが備えられることが望ましい。
【００３１】
前記ギアボックスの前方部には締結手段によって締結可能にその外周面に沿ってプランジ部が形成されて前記ギアボックスが前記タブの後壁に結合されることが望ましい。
【００３２】
前記プランジ部には円周方向に沿って締結手段を締結するように多数の締結孔が形成され、タブの後壁には前記締結孔と対応される位置にそれぞれ固定ホールが形成されることが望ましい。
【００３３】
前記各ドラムの内周面上には半径方向内側に向かうように突出して設けられた多数のリフターが軸方向に沿って長く形成されることが望ましい。
【００３４】
前記リフターのうち、内部ドラムの内周面上に形成されたリフターは軸方向に沿って前方側にいくほどその断面の大きさが小さくなり、外部ドラムの内周面上に形成されたリフターは軸方向に沿って後方側に行くほどその断面の大きさが小さく形成されることが望ましく、前記リフターは断面の形状が三角形であることが望ましい。
【００３５】
前記リフターは断面の形状が“Ｍ”字状からなり半径方向の内側の端部上に溝部を形成することが望ましい。
【００３６】
前記リフターのうち、内部ドラムの内周面上に形成されるリフターは洗濯の時に内部ドラムが回転することによってその内側に収容される洗濯物及び水流を軸方向に沿って前方側（ドア側）に移動させるように螺旋状に形成され、外部ドラムの内周面上に形成されるリフターは洗濯の時に、外部ドラムが回転することによってその内側に収容される洗濯物及び水流を軸方向に沿って後方側に移動させるように螺旋状に形成されることを特徴とする。
【００３７】
本発明の他の実施態様によると、タブの内側に回転自在に設けられ、その後端部には外部ドラム回転軸が軸連結され、前記外部ドラム回転軸の後端部にはタブの後壁後端部に固定された固定子と軸連結される外部ドラムと、前記外部ドラムの内側に回転自在に設けられ、その後端部には内部ドラム回転軸が軸連結され、前記内部ドラム回転軸の後端部はモーター部の回転子と軸連結される内部ドラムと、前記タブ後壁の後方中央部に形成された前方管通孔の後方側に延長され、前記後壁と一体化して形成されて中空の空間部をなし、その後端部には後方管通孔が形成されたギアボックスハウジングと、前記前方管通孔及び後方貫通孔にそれぞれ設けられて前記外部ドラム回転軸の外周面と内部ドラム回転軸の外周面に沿ってそれぞれ回転自在に支持される前・後方ベアリングと、前記内／外部ドラム回転軸が内側に貫通又は挿入できるように前端部と後端部とが開口した形状として前記ギアボックスハウジングの内側に固定されるギアボックスと、前記内部ドラム回転軸の回転と連動して回転するように同軸形成されたサンギアと、前記サンギアの回転力を受けて回転する多数の流星ギアと、前記外部ドラム回転軸の後端部から延長され、その内周面上には前記流星ギアと噛み合わさるようにギア部が形成された軸延長部と、ベースの前方には前記流星ギアと回転中心を成している回転軸が形成され、後方には前記内部ドラム回転軸とギアボックスの後端開口部との間に位置する延長部を有するキャリアと、前記内部ドラム回転軸の外周面と外部ドラム回転軸の内周面上に介在して前記内／外部ドラム回転軸の連動回転を片側方向だけに許容する第１回転軸断続手段と、前記ギアボックスの後端開口部の内周面と前記キャリアの延長部の外周面上に介在されてギアボックスとキャリアとの連動回転を片側方向だけに許容する第２回転軸断続手段からなる回転力伝達装置とを含めてなることを特徴とする。
【００３８】
本発明の他の実施態様によると、タブの内側に回転自在に設けられ、その後端部には外部ドラム回転軸が軸連結され、前記外部ドラム回転軸の後端部はタブの後壁中央部の外側に貫通する外部ドラムと、前記タブの下部側に設けられ、駆動軸にはモータープーリーが連結された駆動モーターと、前記外部ドラムの内側に回転自在に設けられ、その後端部には内部ドラム回転軸が軸連結され、前記内部ドラム回転軸の後端部はドラムプーリーと軸連結されてベルト手段によって前記駆動モーターの回転力を伝えられる内部ドラムと、前記内／外部ドラム回転軸が内側に貫通または挿入されるように前端部と、後端部が開口された形状として前記タブの後壁の後方側に締結手段によって締結され、その内側には中空の空間部を有するギアボックスと、前記タブの後壁中央部に形成されたベアリングハウジングの前方部と後方部にそれぞれ設けられて前記外部ドラム回転軸の外周面を回転自在に支持する前後方ベアリングと、前記内部ドラム回転軸の回転と連動して回転するように同軸形成されたサンギアと、前記サンギアの回転力を伝えられて回転する多数の流星ギアと、前記外部ドラム回転軸の後端部から延長され、その内周面上には前記流星ギアと噛み合うようにギア部が形成された軸延長部と、べースの前方には前記流星ギアの回転中心を成す回転軸が形成され、後方には前記内部ドラム回転軸とギアボックスの後端開口部との間に位置する延長部を有するキャリアと、前記内部ドラム回転軸の外周面と外部ドラム回転軸の内周面上に介在して前記内／外部ドラム回転軸の連動回転を片側方向だけに許容する第１回転軸断続手段と、前記ギアボックスの後端開口部の内周面と前記キャリアの延長部の外周面上に介在してキャリアの回転を片側方向だけに許容する第２回転軸断続手段からなる回転力伝達装置とを含めてなることを特徴とする。
【００３９】
前記したように本発明によると、ドラムによって形成される洗濯空間に同時に反対となる両方向の水流を形成することになり、従って、洗濯物の全体面が内部ドラムと外部ドラムの内側面とバランスを取って摩擦を起こすことになり、洗濯性能が向上した効果を得ることができる。
【００４０】
また、洗濯物が内部ドラムと外部ドラムとを交互に往来して洗濯することによって洗濯物の絡みを防止できるようにした効果がある。
発明を実施するための最良の形態
以下、本発明の望ましい実施形態を添付の図面に基づいて詳細に説明する。
【００４１】
また、後述する部分は理解のために、図面上の左側をドラム洗濯機の前方とし、図面上の右側をドラム洗濯機の後方として説明する。
【００４２】
第１実施例
図３は本発明の第１実施例によるドラム洗濯機を示した縦断面図であり、図４は図３の要部拡大図であって、前記図面を参照して本発明によるドラム洗濯機の構成及び作動を説明する。
【００４３】
図３に示すように、本発明によるドラム洗濯機はキャビネットの内側にタブ１００が設けられ、前記タブ１００の内側には前方側が開口された外部ドラム２００が回転自在に設けられる。
【００４４】
また、前記外部ドラム２００の内側には前方側が開口され、前記外部ドラム２００より小径及び軸方向の長さを有する内部ドラム３００が前記外部ドラム２００と同軸方向にその内側に回転自在に設けられる。
【００４５】
また、前記内部ドラム３００の前端部の位置と対応する外部ドラム２００上に半径方向の内側に向かって所定の長さほど突出した突出部２３０が形成され、前記突出部２３０は前記外部ドラム２００と一体化して設けられ、別途の部材を前記外部ドラム２００の内周面上に付着することもできる。
【００４６】
また、前記突出部２３０と隣接する前記内部ドラム３００の前端部には内部ドラム３００と外部ドラム２００との間の隙間の内側に洗濯物が挟まることを防止するためにボルト又はネジなどの締結手段３３０ａによってシリング手段３３０が締結される。
【００４７】
前記シリング手段３３０は略内部ドラム３００の直径に対応する直径を有し、所定の幅を有するリング状であって、内部ドラム３００の前端部の周りに沿って締結手段３３０ａによって締結される。
【００４８】
この時、前記シリング手段３３０の前端部が前記突出部２３０と当接するように設置することも可能であるが、前記シリング手段３３０と突出部２３０とを当接するように設置する場合、前記隙間の内側に洗濯物が挟まることを徹底に遮断できるが、各ドラム２００、３００の回転時に前記突出部２３０とシリング手段３３０との回転接触による摩擦騒音、磨耗などの問題が発生する。
【００４９】
従って、前記突出部２３０とシリング手段３３０との間には互いに接触しない程度の最小間隔だけを維持するようにすることが望ましく、前記シリング手段３３０の材質は摩擦騒音が少なく、耐熱性に優れ、耐磨耗性に優れる合成樹脂材質からなることが望ましい。
【００５０】
尚、本発明によるドラム洗濯機の内部ドラム３００と外部ドラム２００はその後方に軸連結されたモーター部５０の作動によって回転自在に設けられ、以下、これを詳しく説明する。
【００５１】
前記内部ドラム３００の後端部には内部ドラム回転軸３１０が軸連結され、前記内部ドラム回転軸３１０の後端部はタブ１００の後壁１２０の中央部を貫通して前記タブ１００の後方側に備えられるモーター部１０と連結される。
【００５２】
また、外部ドラム２００の後端部にはスパイダー２２０が固定され、外部ドラム２００の後端部の中央には外部ドラム回転軸２１０が軸連結され、前記外部ドラム回転軸２１０は後述する回転力伝達装置及び第１、第２回転軸断続手段４０１、４０２によって前記内部ドラム回転軸３１０の回転力を受ける。
【００５３】
また、タブ１００の後壁１２０の後方側には中空の空間部を有するギアボックスハウジング１３０が一体として延長して形成され、その内側には前記外部ドラム回転軸２１０と内部ドラム回転軸３１０が回転自在に挿入され、また、その内側には回転力伝達装置が設けられる。
【００５４】
また、前記ギアボックスハウジング１３０の内側にはギアボックス９０が固定設置され、前記ギアボックス９０はギアボックスハウジング１３０より小径を有する円筒型からなり、その前方部と後方部は開口された形状を成す。
【００５５】
図４によると、前記ギアボックスハウジング１３０の前方部（即ち、タブ１００）の後壁１２０の中央部には所定の直径を有する前方貫通孔１２１が形成され、前記ギアボックスハウジング１３０の後方部の中央には前記内部ドラム回転軸３１０が貫通され得るように後方貫通孔１２２が形成される。
【００５６】
また、前記前方貫通孔１２１の前方部には前方ベアリング６１が設けられ、前記後方貫通孔１２２の後方部には後方ベアリング６２が設けられる。この時前記前方ベアリング６１の内輪は外部ドラム回転軸２１０の外周面を回転自在に支持し、後方ベアリング６２の内輪は前記内部ドラム回転軸３１０の外周面を回転自在に支持する。
【００５７】
尚、前記外部ドラム回転軸２１０と内部ドラム回転軸３１０はタブ１００の後壁１２０を貫通してその後方側で回転自在に支持されつつモーター部１０からの回転力を受けることになる。これをより詳しく説明する。
【００５８】
前記内部ドラム回転軸３１０はギアボックスハウジング１３０の後方貫通孔１２２の外側に貫通し、その後端部は前記後方貫通孔１２２の外側でモーター部５０の回転子５０ａとボルトなどのような公知の締結手段によって結合される。
【００５９】
また、前記ギアボックスハウジング１３０の後端部には固定子５０ｂが結合されると共に前記固定子５０ｂの半径方向外側には回転子５０ａのマグネット５１が対応して位置することで前記回転子５０ａと固定子５０ｂとによって回転力を発するモーター部５０とを構成する。
【００６０】
また、前記モーター部５０に電源が印加されると回転子５０ａが正逆方向に回転することになり、従って、前記回転子５０ａと軸連結された内部ドラム回転軸３１０が回転することによって内部ドラム３００が正逆方向に回転可能となる。
【００６１】
前記のように本発明のドラム洗濯機の第１実施例によると、内部ドラム３００と外部ドラム２００とが洗濯時に互いに反対方向（例えば、内部ドラムは時計方向、外部ドラムは反時計方向）に回転するように設け、また、脱水時には同じ方向（例えば、全て反時計方向）に回転するように設ける。
【００６２】
このように、内部ドラム３００と外部ドラム２００を互いに反対方向に回転するようにすることは、本発明による回転力伝達装置によって実現でき、内部ドラム３００と外部ドラム２００とを同一の方向に回転するようにすることは第１、第２回転軸断続手段４０１、４０２によって実現できる。
【００６３】
また、洗濯の時に前記内部ドラム３００の回転方向に対して反対方向に外部ドラム２００を回転させることができ、脱水時には前記内部ドラム３００と外部ドラム２００とを同一の方向に回転させることができる。
【００６４】
以下、前記回転力伝達装置及び第１、第２回転軸断続手段４０１、４０２をより詳しく説明する。
【００６５】
外部ドラム２００の後端部にはスパイダー２２０が固定結合され、前記外部ドラム２００の後端部の中央には外部ドラム回転軸２１０が軸連結される。前記外部ドラム回転軸２１０は前記ギアボックス９０の内側まで延長された軸延長部２１５を有し、前記軸延長部２１５の内面にはギア部２１５ａが形成される。この時前記軸延長部２１５の直径は前記外部ドラム回転軸２１０の直径より大きく前記ギアボックス９０の直径より小さく形成される。
【００６６】
また、内部ドラム回転軸３１０には前記内部ドラム回転軸３１０の回転と連動して回転するようにサンギア３１５が同軸形成される。また、前記サンギア３１５の回転力を受けて回転する多数の流星ギア７１，７２が備えられ、前記各流星ギアは半径及び歯車の数がそれぞれ異なる二つの歯車が一体となって同軸結合したものである。
【００６７】
前記各流星ギア７１，７２はキャリア８０のべース８２上に形成された回転軸８１によって軸支持されると共に前記軸延長部２１５のギアｂ２１５ａとかみ合って前記サンギア３１５の回転力を外部ドラム回転軸２１０に伝えることになる。
【００６８】
尚、前記ベース８２の後方側には前記内部ドラム回転軸３１０とギアボックス９０の後端開口部との間に位置する延長部８３が形成され、前記延長部８３と内部ドラム回転軸３１０との外周面は所定間隔隔てて設けられる。また、前記延長部８３と内部ドラム回転軸３１０の外周面との間にはオイルレスベアリング８９とシリング手段８８がそれぞれ順次に介在することによって前記延長部８３と内部ドラム回転軸３１０との間の気密を維持することになる。
【００６９】
尚、前記外部ドラム回転軸２１０の内周面と内部ドラム回転軸３１０の外周面との間には前記ギアボックス９０側への漏れを防止するためのシリング手段４１が設けられる。
【００７０】
また、前記外部ドラム回転軸２１０の外周面と前記外部ドラム２００の後方に設けられたスパイダー２２０との間にも同様に前記前方ベアリング６１側への漏れを防止するためのシリング手段４２が設けられる。
【００７１】
前記回転力伝達装置によって本発明のドラム洗濯機の内部ドラム３００と外部ドラム２００は洗濯時に互いに反対方向に回転自在に設けることは前記の通りである。
【００７２】
しかしながら、脱水時には前記内部ドラム３００と外部ドラム２００とが同じ方向に高速回転すべきであるので、前記内部ドラム３００と外部ドラム２００とを同じ方向に回転させるための別途の手段を必要とし、本発明によるドラム洗濯機はかかる機能が第１、第２回転軸断続手段４０１、４０２によって成される。
【００７３】
これをより詳しく説明する。
【００７４】
前記内部ドラム回転軸３１０の外周面と外部ドラム回転軸２１０の内周面との間には前記内外部ドラム回転軸３１０，２１０の連動回転を片側方向だけに許容する第１回転軸断続手段４０１が介在する。
【００７５】
また、前記ギアボックス９０の後端開口部の内周面と、前記キャリア８０の延長部８３の外周面との間にはキャリア８０の回転を片側方向だけに許容する第２回転軸断続手段４０２が介在する。
【００７６】
即ち、前記第１、第２回転軸断続手段４０１、４０２は片側方向ベアリングを採用することができ、例えば、脱水時に回転子５０ａを反時計方向に回転させて内部ドラム回転軸３１０を反時計方向に回転させると、前記第１回転軸断続手段４０１の拘束によって前記外部ドラム回転軸２１０も内部ドラム回転軸３１０のように反時計方向に連動回転する構造をなすようにしたものである。
【００７７】
前記のように、前記外部ドラム回転軸２１０と内部ドラム回転軸３１０とが全て反時計方向に回転するとき、前記内部ドラム回転軸３１０上のサンギア３１５と軸延長部２１５のギア部２１５ａと噛み合った状態の流星ギア７１、７２は全て回転が停止した状態となる。従って、このような場合キャリア８０も内外部ドラム回転軸２１０のように反時計方向に連動回転する状態となる。
【００７８】
前記説明したように、脱水の時に前記内外部ドラム回転軸３１０、２１０とキャリア８０がすべて反時計方向に連動して回転する状態では前記第２回転軸断続手段４０２は前記キャリア８０の回転方向（反時計方向）にはその回転を拘束しないように設けられることは当然である。
【００７９】
尚、前記第２回転軸断続手段４０２は、前記キャリア８０が反時計方向に回転することを許容する反面、時計方向への回転は拘束するように構成した理由は次の通りである。
【００８０】
即ち、本発明によると、洗濯時に内部ドラム回転軸３１０と外部ドラム回転軸２１０とはそれぞれ回転方向が反対となり、この時キャリア８０は前記内部ドラム回転軸３１０と同一の方向に回転することになる。このような場合、前記キャリア８０の回転を拘束すると、前記外部ドラム回転軸２１０の回転力をより確実に維持させ得るからである。
【００８１】
尚、前記キャリア８０９の回転軸８１上に半径及び歯車の数がそれぞれ異なる二つの流星ギア７１，７２を設けるようにした理由は、前記流星ギア７１，７２の半径と歯車を適切に変更することによって、内部ドラム３００と外部ドラム２００との回転速度を適切に変更させることができるようにするためである。即ち、内部ドラム３００と外部ドラム２００との回転速度の比を適切に調節することによって洗濯効率を高めるようにしたものである。
【００８２】
第２実施例
図５は本発明によるドラム洗濯機の第２実施例を示した縦断面図である。
【００８３】
図５によると、タブ１００の片側には駆動モーター３０が固定され、前記駆動モーター３０の軸にはモータープーリー３４が連結される。また、内部ドラム３００の後端部の中央に軸連結された内部ドラム回転軸３１０の後端部にはドラムプーリー２１４が連結され、前記ドラムプーリー２１４はモータープーリー３４とベルト手段３５とによって連結されて、駆動モーター３０の回転力が内部ドラム３００に伝わる構造をなす。
【００８４】
尚、外部ドラム２００はその後端部が外部ドラム回転軸２１０の一端と連結する。また、前記外部ドラム回転軸２１０は第１実施例で説明したようにほとんど同じ構造の回転力伝達装置及び第１、第２回転軸断続手段４０１、４０２によって内部ドラム回転軸３１０の回転力を受ける。
【００８５】
また、前記タブ１００の後壁１２０の中央にはベアリングハウジング１２０ａが一体化して形成され、前記ベアリングハウジング１２０ａの前方部及び後方部には前記外部ドラム回転軸２１０の外周面を回転自在に支持できるように前方ベアリング６１及び後方ベアリング６２がそれぞれ設けられる。
【００８６】
尚、前記タブ１００の後壁１２０の後方側には前記回転力の伝達装置が収容できるように円筒型のギアボックス９０が備えられ、前記ギアボックス９０の前方部にはボルトのような締結手段９３によって締結可能にその外周面に沿ってプランジ部９１が形成されて前記タブ１００の後壁１２０に結合する。
【００８７】
この場合、前記プランジ９１には円周方向に沿って前記締結手段９３を締結できるように多数の締結孔９１ａを形成し、タブ１００の後壁１２０には前記締結孔９１ａと対応する位置にそれぞれ固定ホール１２１を形成することで、タブ１００とギアボックス９０との結合が可能となる。
【００８８】
このような構成からなる前記内部ドラム３００と外部ドラム２００は駆動モーター３０及びそれぞれのプーリー３４，２１４によって伝えられた回転力によって駆動するものであって、回転力伝達手段及び第１、第２回転軸断続手段４０１，４０２の構成及び作動は前記説明した第１実施例の構成及び作動と同一であるので詳しい説明は省略する。
【００８９】
尚、本発明のドラム洗濯機の内部ドラム３００と外部ドラム２００の内側面にはそれぞれ半径方向の内側に向かって突設された多数のリフターが軸方向に沿って長く形成される。
【００９０】
これを示した図面を参照して詳しく説明する。
【００９１】
図６は本発明のドラム洗濯機に採用されるリフターを示した概略図であって、図６に示すように、内部ドラム３００の内周面上に形成されるリフター３６０は洗濯時に内部ドラム３００が図面のように矢印表ａの方向（例えば、時計方向）に回転することによってその内側に収容される洗濯物及び水流を前記内部ドラム３００の軸方向に沿って前方側に移動させ得るように螺旋状に形成される。
【００９２】
反面、外部ドラム２００の内周面上に形成されるリフター２６０は洗濯時に外部ドラム２００が矢印ｂ方向（例えば、反時計方向）に回転することによってその内側に収容される洗濯物及び水流を前記外部ドラム２００の軸方向に沿って後方側に移動させる螺旋状に形成される。
【００９３】
また、前記リフター２６０はドラム前方から後方に行くほど断面が小さくなるように形成され、前記リフト３６０はドラムの後方から前方に行くほど断面が小さくなるように形成される。
【００９４】
また、洗濯時の外部ドラム２００と内部ドラム３００とが互いに対してそれぞれ反対方向に回転すると、外部ドラム２００の内側に収容される洗濯物は洗濯水と共に前記リフター２６０によって上側に回りつつ上昇及び落下する循環過程を繰り返しながら、順次に内部ドラム３００側に移動する。
【００９５】
又、内部ドラム３００側に移動された洗濯物は洗濯水と共に前記リフター３６０によって上側に回りつつ上昇及び落下する循環過程を繰り返しながら、漸次的に外部ドラム２００側に移動する。
【００９６】
即ち、洗濯時に洗濯物と洗濯水は前記のような循環過程を継続繰り返すことによって、内部ドラム３００と外部ドラム２００とによって形成される洗濯空間に同時に相反する両方向の水流を形成する。
【００９７】
従って、洗濯物の全体面が内部ドラム３００と外部ドラム２００の内側面と均一な摩擦を起こすことになり、また、洗濯物が内部ドラム３００と外部ドラム２００とを交互に往来しながら洗濯することにより洗濯物の絡みが解消される。
【００９８】
図７は本発明のドラム洗濯機に採用されるリフターの他の変形例を示した概略図であって、図７によると、リフター２７０，３７０は断面の形状が三角形に形成され、前記リフター２７０はドラムの前方から後方に行くほど断面が小さくなるように形成され、前記リフト３７０はドラムの後方から前方に行くほど断面が小さくなるように形成されることを示す。
【００９９】
図８は本発明のドラム洗濯機に採用されるリフターの他の変形例を示した概略図であって、図８によると前記図６及び図７に示すようにリフターの構造と同様にリフター２８０はドラムの前方から後方に行くほど断面が小さくなるように形成され、前記リフト３８０はドラムの後方から前方に行くほど断面が小さくなるように形成されることを示している。
【０１００】
又、前記リフター２８０，３８０の断面形状が“Ｍ”字状となり各リフター２８０，３８０の半径方向の内側端部上で部分的に渦流を形成するようにそれぞれ溝部２８０ａ、３８０ａが形成されることを示している。
【０１０１】
前記のように、各リフター２８０，３８０の半径方向の内側端部に前記溝部２８０ａ、３８０ａを形成した理由は、洗濯時に前記溝部２８０ａ、３８０ａでも部分的に渦流を形成するようにすることで洗濯効率を高めるようにしたものである。
【０１０２】
尚、以上本発明の好適な一実施形態に対して説明したが、前記実施形態のものに限定されるわけではなく、本発明の技術思想に基づいて種々の変形可能である。
産業上の利用可能性
本発明によると、一つのタブ内側に洗濯時に互いに反対方向に回転可能となった一対のドラムを設け、ドラムによって形成される洗濯空間に同時に相反する両方向の水流を形成し、従って、洗濯物の全面が内部ドラムと外部ドラムの内側面と均一に摩擦を起こすことになって洗濯性能が向上された効果が得られる。
【０１０３】
又、洗濯物が内部ドラムと外部ドラムとを交互に往来しながら洗濯されることによって洗濯物の絡みを防止できるようにした効果がある。
【図面の簡単な説明】
【図１】
図１は関連技術によるドラム洗濯機を概略的に示した縦断面図である。
【図２】
図２は図１の“Ａ”部拡大断面図である。
【図３】
図３は本発明の第１実施例によるドラム洗濯機を示した縦断面図である。
【図４】
図４は図３の要部拡大図である。
【図５】
図５は本発明によるドラム洗濯機の第２実施例を示した縦断面図である。
【図６】
図６は本発明のドラム洗濯機に採用されるリフターを示した概略図である。
【図７】
図７は本発明のドラム洗濯機に採用されるリフターの他の変形例を示した概略図である。
【図８】
図８は本発明のドラム洗濯機に採用されるリフターの他の変形例を示した概略図である。
【図１】
2004513721.tif 000003
【図２】
2004513721.tif 000004
【国際公開パンフレット】
2004513721.tif 000005
2004513721.tif 000006
2004513721.tif 000007
2004513721.tif 000008
2004513721.tif 000009
2004513721.tif 000010
2004513721.tif 000011
2004513721.tif 000012
2004513721.tif 000013
2004513721.tif 000014
2004513721.tif 000015
2004513721.tif 000016
2004513721.tif 000017
2004513721.tif 000018
2004513721.tif 000019
2004513721.tif 000020
2004513721.tif 000021
2004513721.tif 000022
2004513721.tif 000023
2004513721.tif 000024
2004513721.tif 000025
2004513721.tif 000026
2004513721.tif 000027
2004513721.tif 000028
2004513721.tif 000029
2004513721.tif 000030
2004513721.tif 000031
2004513721.tif 000032
2004513721.tif 000033
2004513721.tif 000034
2004513721.tif 000035
2004513721.tif 000036
2004513721.tif 000037
2004513721.tif 000038
【国際調査報告】
2004513721.tif 000039